(57)【要約】      （修正有）【課題】足の母指が第２指側（足の外方）に曲がって変形した外反母指を、正常な状態に戻すように矯正するための外反母指矯正用サポータを提供する。【解決手段】母指１の第１中足指関節４部分を足の幅方向に巻回指圧し得るようにしたバンド下面前縁に突設した突片６上に母指１と第２指２間に挿入し得る指のつけ根部分を太く、指先部を細くした弾性部材９下面を固定し、該弾性部材９の上面に固定した突片６をバンド上面５ｂと一体に固定した。【選択図】図２
0003158858.tif 000002
【実用新案登録請求の範囲】
【請求項１】
母指の第１中足指関節部分を足の幅方向に巻回指圧し得るようにしたバンド下面前縁に突設した突片上に母指と第２指間に挿入し得る指のつけ根部分を太く、指先部を細くした弾性部材下面を固定し、該弾性部材の上面に固定した突片を前記バンド上面と一体に固定したことを特徴とする外反母趾矯正用サポータ。
【請求項２】
バンドは、伸縮自在にゴム等の弾性材で一体に輪状にしたことを特徴とする請求項１に記載の外反母趾矯正用サポータ。
【請求項３】
バンドは、使用する足に合致させるために、マジック（登録商標）テープで脱着調整できるようにしたことを特徴とする請求項１に記載の外反母趾矯正用サポータ。
【請求項４】
母指の第１中足指関節部分を足の幅方向に巻回指圧し得るようにしたバンド下面前縁に突設した突片上に母指と第２指間に挿入し得る指のつけ根部分を太く、指先部を細くした弾性部材をその突片上に載置固定し、該弾性部材上面に鼻緒の先端部を固定し、後端部にバンド上面に位置させ、その下面にマジック（登録商標）テープを固定したことを特徴とする外反母趾矯正用サポータ。
【請求項５】
請求項１〜請求項４のうち、いずれか１項に記載の外反母趾矯正用サポータに加えて、足のかかと部でサポータのズレ防止を行うことができるようにズレ防止ベルトを形成し、母指のつけ根にある足の中足関節部、及び小指側の第５中足骨基底部に当接する部分にパット等のクッション材を、さらに、足底部の土踏まずにクッション材を設け、中足関節部、及び第５中足骨基底部を中心とするリスフラン関節部を押圧する力により母指がより外方に拡開し、足裏に横アーチと縦アーチを再生させた時の縦アーチへの補助となり、外反母趾の矯正に役立つことを特徴とする外反母趾矯正用サポータ。
【請求項６】
ベルトを母指から小指側に沿って斜めに傾斜させたことを特徴とする請求項１〜請求項５のいずれか１項に記載の外反母趾矯正用サポータ。
【請求項７】
ベルトの素材をメッシュ素材及び伸縮性素材を採用したことを特徴とする請求項１〜請求項６のうち、いずれか１項に記載の外反母趾矯正用サポータ。
【考案の詳細な説明】
【技術分野】
【０００１】
本考案は、足の母指が第２指側（足の外方）に曲がって変形した外反母指を、正常な状態に戻すように矯正するための外反母指矯正用サポ−タに関するものである。
【背景技術】
【０００２】
従来、母指の第１中足指関節部分を足の幅方向に巻回押圧し得るようにしたバンド下面前縁に突設した突片上に母指と第２指間に挿入し得る弾性部材下面を固定し、該弾性部材の上面に固定した突片を前記バンド上面と一体に固定した外反母指矯正用サポ−タ（例えば、特許文献１参照）が存在している。
【先行技術文献】
【特許文献】
【０００３】
【特許文献１】実開平６−７７１４号公報（実用新案登録請求の範囲の欄、考案の詳細な説明、及び図１〜図１７を参照）
【考案の概要】
【考案が解決しようとする課題】
【０００４】
しかしながら、母指と第２指間に母指球部より母指のつけ根にかけてクッション部材を単に挿入しただけでは、足の形状にフィットしていないため、良好に外反母趾の矯正が行われなかったという問題がある。
本考案は、これを解決した外反母趾矯正用サポータを提供することを目的としている。
【課題を解決するための手段】
【０００５】
上記課題を解決するための本考案の第１考案は、請求項１に記載された通りの外反母趾矯正用サポータであり、次のようなものである。
母指の第１中足指関節部分を足の幅方向に巻回指圧し得るようにしたバンド下面前縁に突設した突片上に母指と第２指間に挿入し得る指のつけ根部分を太く、指先部を細くした弾性部材下面を固定し、該弾性部材の上面に固定した突片を前記バンド上面と一体に固定する構成である。
【０００６】
上記課題を解決するための本考案の第２考案は、請求項２に記載された通りの外反母趾矯正用サポータであり、次のようなものである。
請求項１に記載の考案に加えて、バンドは、伸縮自在にゴム等の弾性材で一体に輪状にする構成である。
【０００７】
上記課題を解決するための本考案の第３考案は、請求項３に記載された通りの外反母趾矯正用サポータであり、次のようなものである。
請求項１に記載の発明に加えて、バンドは、使用する足に合致させるために、マジック（登録商標）テープで脱着調整できる構成である。
【０００８】
上記課題を解決するための本考案の第４考案は、請求項４に記載された通りの外反母趾矯正用サポータであり、次のようなものである。
母指の第１中足指関節部分を足の幅方向に巻回指圧し得るようにしたバンド下面前縁に突設した突片上に母指と第２指間に挿入し得る指のつけ根部分を太く、指先部を細くした弾性部材をその突片上に載置固定し、該弾性部材上面に鼻緒の先端部を固定し、後端部にバンド上面に位置させ、その下面にマジック（登録商標）テープを固定する構成である。
【０００９】
上記課題を解決するための本考案の第５考案は、請求項５に記載された通りの外反母趾矯正用サポータであり、次のようなものである。
請求項１〜請求項４のうち、いずれか１項に記載の考案に加えて、足のかかと部でサポータのズレ防止を行うことができるようにズレ防止ベルトを形成し、母指のつけ根にある足の中足関節部、及び小指側の第５中足骨基底部に当接する部分にパット等のクッション材を、さらに、足底部の土踏まずにクッション材を設け、中足関節部、及び第５中足骨基底部を中心とするリスフラン関節部を押圧する力により母指がより外方に拡開し、足裏に横アーチと縦アーチを再生させた時の縦アーチへの補助となり、外反母趾の矯正に役立つという構成である。
【００１０】
上記課題を解決するための本考案の第６考案は、請求項６に記載された通りの外反母趾矯正用サポータであり、次のようなものである。
請求項１〜請求項５のうち、いずれか１項に記載の考案に加えて、ベルトを母指から小指側に沿って斜めに傾斜させる構成である。
【００１１】
上記課題を解決するための本考案の第７考案は、請求項７に記載された通りの外反母趾矯正用サポータであり、次のようなものである。
請求項１〜請求項６のうち、いずれか１項に記載の考案に加えて、ベルトの素材をメッシュ素材及び伸縮性素材を採用する構成である。
【考案の効果】
【００１２】
本考案に係る外反母趾矯正用サポータは、上記説明のような構成であるので、以下に記載する効果を奏する。
（１）母指の第１中足指関節部分を足の幅方向に巻回指圧し得るようにしたバンド下面前縁に突設した突片上に母指と第２指間に挿入し得る指のつけ根部分を太く、指先部を細くした弾性部材下面を固定し、該弾性部材の上面に固定した突片を前記バンド上面と一体に固定してあるので、母指は外部に突出していて圧迫されず、爪が痛くなることがなく、母指と第２指間の隙間の形状にフィットしているので、歩行時母指に力が入り歩きやすく、しかも母指が長い人、太い人等、色々な母指にもフィットできるので、様々な人の外反母趾矯正に極めて良好な効果を有する。
（２）弾性部材に対して、鼻緒付にすること、足のかかとにズレ防止のベルトを有することにより、母指をより正常な位置に矯正固定することができる効果がある。
（３）足の中足関節部、第５中足骨基底部、及び足底部をクッション材で押圧することになり、効率的に母指、第２指及び小指の横揺れ、横ぶれ、縦ぶれを防止することができ、足裏に横アーチ、縦アーチを再生させ、外反母趾の矯正に効果がある。
【考案を実施するための形態】
【００１３】
母指の第１中足指関節部分を足の幅方向に巻回指圧し得るようにしたバンド下面前縁に突設した突片上に母指と第２指間に挿入し得る指のつけ根部分を太く、指先部を細くした弾性部材下面を固定し、該弾性部材の上面に固定した突片を前記バンド上面と一体に固定した外反母趾矯正用サポータである。
【図面の簡単な説明】
【００１４】
【図１】本考案の第１実施例である外反母趾矯正用サポータを示す概略斜視図である。
【図２】本考案の第１実施例の外反母趾矯正用サポータの使用時を示す概略斜視図である。
【図３】図２の正面図である。
【図４】本考案の第２実施例の外反母趾矯正用サポータを示す概略斜視図である。
【図５】本考案の第２実施例の外反母趾矯正用サポータの使用時を示す概略斜視図である。
【図６】図５の正面図である。
【図７】本考案の第３実施例の外反母趾矯正用サポータを示す概略斜視図である。
【図８】本考案の第３実施例の外反母趾矯正用サポータの使用時を示す概略斜視図である。
【図９】図８の正面図である。
【図１０】図８の上面図である。
【図１１】本考案の第４実施例の外反母趾矯正用サポータを示す概略斜視図である。
【図１２】本考案の第４実施例の外反母趾矯正用サポータの使用時を示す概略斜視図である。
【図１３】図１２の正面図である。
【図１４】図１２の上面図である。
【図１５】外反母趾の骨格説明図である。
【図１６】本考案の外反母趾矯正用サポータの第５実施例を示す斜視図である。
【図１７】前記第５実施例の外反母趾矯正用サポータの開放状態を示す斜視図である。
【図１８】本考案の外反母趾矯正用サポータの第６実施例を示す斜視図である。
【図１９】前記第６実施例の外反母趾矯正用サポータの開放状態を示す斜視図である。
【実施例１】
【００１５】
以下、本願考案の外反母趾矯正用サポータに関する第１実施例について図面に基づいて説明する。
外反母指とは図１５に示す如く、母指１が第２指２の方に曲がったまま変形しているものをいう。
これは横中足靱帯３が緩んでしまい、中足指関節４が開いて結果的に母指１が第２指２の方にたたみ込まれるからである。
足親指が外反する（外方へ曲がって変形する）主原因は、最近、土や石のような堅い地面を直に歩く機会がなく、生れたときから底の軟らかい靴をはくため、親指を働かせる必要が無くなって徐々に退化し、親指が外方に押されて曲がると考えられている。また他の原因として、幅の狭い、足先を痛めやすい先のとがった靴をはくため、足を締めつけると共に親指を外方へ曲げるように作用すると言われている。このような状態になると、親指１の第１中足指関節４が足裏に痛みを生じるのみならず、足の歩行力が劣え、足の平衡バランスが不安定になって転倒し、けがをしやすくなる。
本考案は上記課題を解決するため、母指の第１中足指関節部分を足の幅方向に巻回押圧し得るようにしたバンド下面前縁に突設した突片上に母指と第２指間に挿入し得る指のつけ根部分を太く、指先部を細くした略瓢箪形状の弾性部材下面を固定し、該弾性部材の上面に固定した突片を前記バンド上面と一体に固定した外反母趾矯正用サポータである。
【００１６】
先ず、図１〜図３は本考案の第１実施例である。５は母指１の第１中足指関節４の部分を足の幅方向に巻回する長さのフエルト製バンドで、母指１と第２指２との間の下面５ａ前縁に突片６を突設し、第２指、第３指、第４指、小指が挿入できるよう該バンド５を上方に巻回し、挿入孔７を形成し、下面５ａの突片６に対向した上面５ｂ前縁に突片８を形成し、該突片６、８間に図に示すように指のつけ根部分を太く、指先部を細くした略瓢箪形状の弾性部材９を挾持固着してある。バンド上面５ｂは突片８より僅か親指側に端部が位置している。バンド下面５ａの親指側端部にはマジック（登録商標）テープ１０を固着してある。
使用時は図１の挿入孔７に第２指乃至小指を挿入し、図に示すように指のつけ根部分を太く、指先部を細くした略瓢箪形状の弾性部材９を母指１と第２指２との間に挿入し、バンド５の裏面一端を図２、図３の如く、上方に巻回して第１中足指関節４の部分を小指側に引っ張り、該第１中足指関節４を締め付けた状態でマジック（登録商標）テープ１０をバンド５の上面端部に貼着固定する。
【００１７】
次に、図４〜図６は本考案の第２実施例である。１５ａは母指１の第１中足指関節４の部分を足の幅方向に巻回するフエルト製のバンドの下側部、１５ｂは上側部で母指１と第２指２との間の前縁に夫々突片１６、１８を突設し、両突片１６、１８間に図に示すように指のつけ根部分を太く、指先部を細くした略瓢箪形状の弾性部材１９を挾持固着してある。フエルト製下側部上面両端にはマジック（登録商標）テープ２０、２１を固着してある。
使用時は図５、図６に示す如く、図に示すように指のつけ根部分を太く、指先部を細くした略瓢箪形状の弾性部材１９を母指１と第２指２の間に挿入し、バンドの下側部両端を上方に巻回し、母指１の第１中足指関節４の部分を小指側に引っ張り、該第１中足指関節４を締め付けた状態でマジック（登録商標）テープ２０、２１をバンド上側部１５ｂの上面に貼着固定している。
【００１８】
次に、図７〜図１０は本考案の第３実施例である。２５は母指１の第１中足指関節４の部分を足の幅方向に巻回する長さのフエルト製のバンドで、前縁に突片２６を突設し、図に示すように指のつけ根部分を太く、指先部を細くした略瓢箪形状の弾性部材２７をその上に載置固定し、該指のつけ根部分を太く、指先部を細くした略瓢箪形状の弾性部材２７上面に鼻緒２８の先端部を固定し、後端部をバンド２５上面に位置させ、その下面にマジック（登録商標）テープ２９を固定し、バンド２５一側端上面にマジック（登録商標）テープ３０を貼着固定している。
使用時は図８〜図１０の如く、指のつけ根部分を太く、指先部を細くした略瓢箪形状の弾性部材２７を母指１と第２指２との間に挿入し、鼻緒２８を上に持ち上げ、バンド２５で母指１の第１中足指関節４の部分を小指側に引っ張り、該第１中足指関節４を締め付けた状態でマジック（登録商標）テープ３０を貼着固定する。次に鼻緒２８を母指１側に引っ張って、母指１を正常位置側に押圧しながらマジック（登録商標）テープ２９をバンド２５上に貼着固定する。
【００１９】
次に、図１１〜図１４は本考案の第４実施例である。３５は弾力を有し母指１の第１中足指関節４の部分を足の幅方向に巻回する長さの環状のバンドで、母指１と第２指２との間の前縁に突片３６を突設し、図に示すように指のつけ根部分を太く、指先部を細くした略瓢箪形状の弾性部材３７をその上に載置固定し、該指のつけ根部分を太く、指先部を細くした略瓢箪形状の弾性部材３７上面に鼻緒３８の先端部を固定し、後端部をバンド３５上面に位置させ、その下面にマジック（登録商標）テープ３９を固定している。
使用時は図１２〜図１４の如く、図に示すように指のつけ根部分を太く、指先部を細くした略瓢箪形状の弾性部材３７を母指１と第２指２との間に挿入しながらバンド３５を足にはめ、母指１の第１中足指関節４の部分を小指側に押圧し、鼻緒３８を母指１側に引っ張って母指１を正常位置側に押圧しながらマジック（登録商標）テープ３９をバンド３５上に貼着固定する。
【００２０】
次に、図１６、図１７は、本考案の外反母趾矯正用サポータの第５実施例である。４０はサポータのズレ防止ベルト、４１は母指のつけ根にある母趾球部押圧クッション材、４２は第５中足骨基底部押圧クッション材、４３は、足底部押圧クッション材、４４は第１指と第２指間の指間パット、４５は足の大きさ（縦巾）に合わせて調節できるようにしたマジック（登録商標）テープ、４６は弾性を有する材料からなる甲を含む足の先方を覆うようにした筒状部材、Ａは外反母趾矯正サポータ本体をそれぞれ示すものである。
【００２１】
図１８、図１９は、本考案の外反母趾矯正用サポータの第６実施例である。４０は、サポータのズレ防止ベルト、４１は母指のつけ根にある母趾球部押圧クッション材、４２は第５中足骨基底部押圧クッション材、４３は、足底部押圧クッション材、４４は、第１指と第２指間の指間パット、４５は足の大きさ（横巾）に合わせて調節できるようにした係止用マジック（登録商標）テープ、４７は、足の大きさ（縦巾）に合わせて調節できるようにしたマジック（登録商標）テープ、Ｂは外反母趾矯正用サポータ本体をそれぞれ示すものである。
【産業上の利用可能性】
【００２２】
外反母趾矯正用靴下にも利用することができる。
【符号の説明】
【００２３】
１・・・・母指                  
２・・・・第２指
３・・・・横中足靱帯
４・・・・母指の第１中足指関節
５・・・・バンド
５ａ・・・・下面
５ｂ・・・・上面
６・・・・突片
７・・・・挿入孔
８・・・・突片
９・・・・弾性部材
１０・・・・マジック（登録商標）テープ
１５・・・・バンド
１５ａ・・・・下側部
１５ｂ・・・・上側部
１６・・・・突片
１８・・・・突片
１９・・・・弾性部材
２０・・・・マジック（登録商標）テープ
２１・・・・マジック（登録商標）テープ
２５・・・・バンド
２６・・・・突片
２７・・・・弾性部材
２８・・・・鼻緒
２９・・・・マジック（登録商標）テープ
３５・・・・バンド
３６・・・・突片
３７・・・・弾性部材
３８・・・・鼻緒
３９・・・・マジック（登録商標）テープ
４０・・・・サポータのズレ防止ベルト
４１・・・・母趾球部押圧クッション材
４２・・・・第５中足骨基底部押圧クッション材
４３・・・・足底部押圧クッション材
４４・・・・第１指と第２指間の指間パット
４５・・・・マジック（登録商標）テープ
４６・・・・筒状部材
４７・・・・マジック（登録商標）テープ
Ａ・・・・外反母趾矯正用サポータ本体
Ｂ・・・・外反母趾矯正用サポータ本体
【図１】
0003158858.tif 000003
【図２】
0003158858.tif 000004
【図３】
0003158858.tif 000005
【図４】
0003158858.tif 000006
【図５】
0003158858.tif 000007
【図６】
0003158858.tif 000008
【図７】
0003158858.tif 000009
【図８】
0003158858.tif 000010
【図９】
0003158858.tif 000011
【図１０】
0003158858.tif 000012
【図１１】
0003158858.tif 000013
【図１２】
0003158858.tif 000014
【図１３】
0003158858.tif 000015
【図１４】
0003158858.tif 000016
【図１５】
0003158858.tif 000017
【図１６】
0003158858.tif 000018
【図１７】
0003158858.tif 000019
【図１８】
0003158858.tif 000020
【図１９】
0003158858.tif 000021
【手続補正書】
【提出日】平成22年2月12日(2010.2.12)
【手続補正１】
【補正対象書類名】明細書
【補正対象項目名】全文
【補正方法】変更
【補正の内容】
【考案の詳細な説明】
【技術分野】
【０００１】
本考案は、足の母指が第２指側（足の外方）に曲がって変形した外反母指を、正常な状態に戻すように矯正するための外反母指矯正用サポ−タに関するものである。
【背景技術】
【０００２】
従来、母指の第１中足指関節部分を足の幅方向に巻回押圧し得るようにしたバンド下面前縁に突設した突片上に母指と第２指間に挿入し得る弾性部材下面を固定し、該弾性部材の上面に固定した突片を前記バンド上面と一体に固定した外反母指矯正用サポ−タ（例えば、特許文献１参照）が存在している。
【先行技術文献】
【特許文献】
【０００３】
【特許文献１】実開平６−７７１４号公報（実用新案登録請求の範囲の欄、考案の詳細な説明、及び図１〜図１７を参照）
【考案の概要】
【考案が解決しようとする課題】
【０００４】
しかしながら、母指と第２指間に母指球部より母指のつけ根にかけてクッション部材を単に挿入しただけでは、足の形状にフィットしていないため、良好に外反母趾の矯正が行われなかったという問題がある。
本考案は、これを解決した外反母趾矯正用サポータを提供することを目的としている。
【課題を解決するための手段】
【０００５】
上記課題を解決するための本考案の第１考案は、請求項１に記載された通りの外反母趾矯正用サポータであり、次のようなものである。
母指の第１中足指関節部分を足の幅方向に巻回指圧し得るようにした伸縮自在の弾性材からなるバンドの下面に、前縁に突設した突片を設け、この突片上に母指と第２指間に挿入し得る指のつけ根部分を太く、指先部を細くした弾性部材を前記バンドの下面に固定し、該弾性部材の上面に固定した突片を前記バンド上面と一体に固定する構成である。
【０００６】
上記課題を解決するための本考案の第２考案は、請求項２に記載された通りの外反母趾矯正用サポータであり、次のようなものである。
請求項１に記載の考案に加えて、バンドは、伸縮自在の弾性材で一体に輪状にする構成である。
【０００７】
上記課題を解決するための本考案の第３考案は、請求項３に記載された通りの外反母趾矯正用サポータであり、次のようなものである。
請求項１に記載の発明に加えて、バンドは、使用する足に合致させるために、マジック（登録商標）テープで脱着調整できる構成である。
【０００８】
上記課題を解決するための本考案の第４考案は、請求項４に記載された通りの外反母趾矯正用サポータであり、次のようなものである。
母指の第１中足指関節部分を足の幅方向に巻回指圧し得るようにした伸縮自在の弾性材からなるバンドの下面に、前縁に突設した突片を設け、この突片上に母指と第２指間に挿入し得る指のつけ根部分を太く、指先部を細くした弾性部材をその突片上に載置固定し、該弾性部材上面に鼻緒の先端部を固定し、後端部に前記バンド上面に位置させ、その下面にマジック（登録商標）テープを固定する構成である。
【０００９】
上記課題を解決するための本考案の第５考案は、請求項５に記載された通りの外反母趾矯正用サポータであり、次のようなものである。
請求項１〜請求項４のうち、いずれか１項に記載の考案に加えて、足のかかと部でサポータのズレ防止を行うことができるようにズレ防止用ベルト部を設け、母指のつけ根にある足の中足関節部、及び小指側の第５中足骨基底部に当接する部分にパットのクッション材を、さらに、足底部の土踏まずにクッション材を設け、中足関節部、及び第５中足骨基底部を中心とするリスフラン関節部を押圧する力により母指がより外方に拡開し、足裏に横アーチと縦アーチを再生させた時の縦アーチへの補助となり、外反母趾の矯正に役立つという構成である。
【００１０】
上記課題を解決するための本考案の第６考案は、請求項６に記載された通りの外反母趾矯正用サポータであり、次のようなものである。
請求項１〜請求項５のうち、いずれか１項に記載の考案に加えて、ズレ防止用ベルト部を母指から小指側に沿って斜めに傾斜させる構成である。
【００１１】
上記課題を解決するための本考案の第７考案は、請求項７に記載された通りの外反母趾矯正用サポータであり、次のようなものである。
請求項１〜請求項６のうち、いずれか１項に記載の考案に加えて、ズレ防止用ベルト部の素材をメッシュ素材及び伸縮性素材を採用する構成である。
【考案の効果】
【００１２】
本考案に係る外反母趾矯正用サポータは、上記説明のような構成であるので、以下に記載する効果を奏する。
（１）母指の第１中足指関節部分を足の幅方向に巻回指圧し得るようにした伸縮自在の弾性材からなるバンドの下面に、前縁に突設した突片を設け、この突片上に母指と第２指間に挿入し得る指のつけ根部分を太く、指先部を細くした弾性部材を、前記バンドの下面に固定し、該弾性部材の上面に固定した突片を前記バンド上面と一体に固定してあるので、母指は外部に突出していて圧迫されず、爪が痛くなることがなく、母指と第２指間の隙間の形状にフィットしているので、歩行時母指に力が入り歩きやすく、しかも母指が長い人、太い人等、色々な母指にもフィットできるので、様々な人の外反母趾矯正に極めて良好な効果を有する。
（２）弾性部材に対して、鼻緒付にすること、足のかかとにズレ防止用ベルト部を有することにより、母指をより正常な位置に矯正固定することができる効果がある。
（３）足の中足関節部、第５中足骨基底部、及び足底部をクッション材で押圧することになり、効率的に母指、第２指及び小指の横揺れ、横ぶれ、縦ぶれを防止することができ、足裏に横アーチ、縦アーチを再生させ、外反母趾の矯正に効果がある。
【考案を実施するための形態】
【００１３】
母指の第１中足指関節部分を足の幅方向に巻回指圧し得るようにした伸縮自在の弾性材からなるバンドの下面に、前縁に突設した突片を設け、この突片上に母指と第２指間に挿入し得る指のつけ根部分を太く、指先部を細くした弾性部材を、前記バンドの下面に固定し、該弾性部材の上面に固定した突片を前記バンド上面と一体に固定した外反母趾矯正用サポータである。
【図面の簡単な説明】
【００１４】
【図１】本考案の第１実施例である外反母趾矯正用サポータを示す概略斜視図である。
【図２】本考案の第１実施例の外反母趾矯正用サポータの使用時を示す概略斜視図である。
【図３】図２の正面図である。
【図４】本考案の第２実施例の外反母趾矯正用サポータを示す概略斜視図である。
【図５】本考案の第２実施例の外反母趾矯正用サポータの使用時を示す概略斜視図である。
【図６】図５の正面図である。
【図７】本考案の第３実施例の外反母趾矯正用サポータを示す概略斜視図である。
【図８】本考案の第３実施例の外反母趾矯正用サポータの使用時を示す概略斜視図である。
【図９】図８の正面図である。
【図１０】図８の上面図である。
【図１１】本考案の第４実施例の外反母趾矯正用サポータを示す概略斜視図である。
【図１２】本考案の第４実施例の外反母趾矯正用サポータの使用時を示す概略斜視図である。
【図１３】図１２の正面図である。
【図１４】図１２の上面図である。
【図１５】外反母趾の骨格説明図である。
【図１６】本考案の外反母趾矯正用サポータの第５実施例を示す斜視図である。
【図１７】前記第５実施例の外反母趾矯正用サポータの開放状態を示す斜視図である。
【図１８】本考案の外反母趾矯正用サポータの第６実施例を示す斜視図である。
【図１９】前記第６実施例の外反母趾矯正用サポータの開放状態を示す斜視図である。
【実施例１】
【００１５】
以下、本願考案の外反母趾矯正用サポータに関する第１実施例について図面に基づいて説明する。
外反母指とは図１５に示す如く、母指１が第２指２の方に曲がったまま変形しているものをいう。
これは横中足靱帯３が緩んでしまい、中足指関節４が開いて結果的に母指１が第２指２の方にたたみ込まれるからである。
足親指が外反する（外方へ曲がって変形する）主原因は、最近、土や石のような堅い地面を直に歩く機会がなく、生れたときから底の軟らかい靴をはくため、親指を働かせる必要が無くなって徐々に退化し、親指が外方に押されて曲がると考えられている。また他の原因として、幅の狭い、足先を痛めやすい先のとがった靴をはくため、足を締めつけると共に親指を外方へ曲げるように作用すると言われている。このような状態になると、親指１の第１中足指関節４が足裏に痛みを生じるのみならず、足の歩行力が劣え、足の平衡バランスが不安定になって転倒し、けがをしやすくなる。
本考案は上記課題を解決するため、母指の第１中足指関節部分を足の幅方向に巻回押圧し得るようにした伸縮自在の弾性材からなるバンドの下面に、前縁に突設した突片を設け、この突片上に母指と第２指間に挿入し得る指のつけ根部分を太く、指先部を細くした略瓢箪形状の弾性部材を、前記バンドの下面に固定し、該弾性部材の上面に固定した突片を前記バンド上面と一体に固定した外反母趾矯正用サポータである。
【００１６】
先ず、図１〜図３は本考案の第１実施例である。５は母指１の第１中足指関節４の部分を足の幅方向に巻回する長さのフエルト製バンドで、母指１と第２指２との間の下面５ａ前縁に突片６を突設し、第２指、第３指、第４指、小指が挿入できるよう該バンド５を上方に巻回し、挿入孔７を形成し、下面５ａの突片６に対向した上面５ｂ前縁に突片８を形成し、該突片６、８間に図に示すように指のつけ根部分を太く、指先部を細くした略瓢箪形状の弾性部材９を挾持固着してある。バンド上面５ｂは突片８より僅か親指側に端部が位置している。バンド下面５ａの親指側端部にはマジック（登録商標）テープ１０を固着してある。
使用時は図１の挿入孔７に第２指乃至小指を挿入し、図に示すように指のつけ根部分を太く、指先部を細くした略瓢箪形状の弾性部材９を母指１と第２指２との間に挿入し、バンド５の裏面一端を図２、図３の如く、上方に巻回して第１中足指関節４の部分を小指側に引っ張り、該第１中足指関節４を締め付けた状態でマジック（登録商標）テープ１０をバンド５の上面端部に貼着固定する。
【００１７】
次に、図４〜図６は本考案の第２実施例である。１５ａは母指１の第１中足指関節４の部分を足の幅方向に巻回するフエルト製のバンドの下側部、１５ｂは上側部で母指１と第２指２との間の前縁に夫々突片１６、１８を突設し、両突片１６、１８間に図に示すように指のつけ根部分を太く、指先部を細くした略瓢箪形状の弾性部材１９を挾持固着してある。フエルト製下側部上面両端にはマジック（登録商標）テープ２０、２１を固着してある。
使用時は図５、図６に示す如く、図に示すように指のつけ根部分を太く、指先部を細くした略瓢箪形状の弾性部材１９を母指１と第２指２の間に挿入し、バンドの下側部両端を上方に巻回し、母指１の第１中足指関節４の部分を小指側に引っ張り、該第１中足指関節４を締め付けた状態でマジック（登録商標）テープ２０、２１をバンド上側部１５ｂの上面に貼着固定している。
【００１８】
次に、図７〜図１０は本考案の第３実施例である。２５は母指１の第１中足指関節４の部分を足の幅方向に巻回する長さのフエルト製のバンドで、前縁に突片２６を突設し、図に示すように指のつけ根部分を太く、指先部を細くした略瓢箪形状の弾性部材２７をその上に載置固定し、該指のつけ根部分を太く、指先部を細くした略瓢箪形状の弾性部材２７上面に鼻緒２８の先端部を固定し、後端部をバンド２５上面に位置させ、その下面にマジック（登録商標）テープ２９を固定し、バンド２５一側端上面にマジック（登録商標）テープ３０を貼着固定している。
使用時は図８〜図１０の如く、指のつけ根部分を太く、指先部を細くした略瓢箪形状の弾性部材２７を母指１と第２指２との間に挿入し、鼻緒２８を上に持ち上げ、バンド２５で母指１の第１中足指関節４の部分を小指側に引っ張り、該第１中足指関節４を締め付けた状態でマジック（登録商標）テープ３０を貼着固定する。次に鼻緒２８を母指１側に引っ張って、母指１を正常位置側に押圧しながらマジック（登録商標）テープ２９をバンド２５上に貼着固定する。
【００１９】
次に、図１１〜図１４は本考案の第４実施例である。３５は弾力を有し母指１の第１中足指関節４の部分を足の幅方向に巻回する長さの環状のバンドで、母指１と第２指２との間の前縁に突片３６を突設し、図に示すように指のつけ根部分を太く、指先部を細くした略瓢箪形状の弾性部材３７をその上に載置固定し、該指のつけ根部分を太く、指先部を細くした略瓢箪形状の弾性部材３７上面に鼻緒３８の先端部を固定し、後端部をバンド３５上面に位置させ、その下面にマジック（登録商標）テープ３９を固定している。
使用時は図１２〜図１４の如く、図に示すように指のつけ根部分を太く、指先部を細くした略瓢箪形状の弾性部材３７を母指１と第２指２との間に挿入しながらバンド３５を足にはめ、母指１の第１中足指関節４の部分を小指側に押圧し、鼻緒３８を母指１側に引っ張って母指１を正常位置側に押圧しながらマジック（登録商標）テープ３９をバンド３５上に貼着固定する。
【００２０】
次に、図１６、図１７は、本考案の外反母趾矯正用サポータの第５実施例である。４０はサポータのズレ防止用ベルト部、４１は母指のつけ根にある母趾球部押圧クッション材、４２は第５中足骨基底部押圧クッション材、４３は、足底部押圧クッション材、４４は第１指と第２指間の指間パット、４５は足の大きさ（縦巾）に合わせて調節できるようにしたマジック（登録商標）テープ、４６は弾性を有する材料からなる甲を含む足の先方を覆うようにした筒状部材、Ａは外反母趾矯正サポータ本体をそれぞれ示すものである。
【００２１】
図１８、図１９は、本考案の外反母趾矯正用サポータの第６実施例である。４０は、サポータのズレ防止ベルト、４１は母指のつけ根にある母趾球部押圧クッション材、４２は第５中足骨基底部押圧クッション材、４３は、足底部押圧クッション材、４４は、第１指と第２指間の指間パット、４５は足の大きさ（横巾）に合わせて調節できるようにした係止用マジック（登録商標）テープ、４７は、足の大きさ（縦巾）に合わせて調節できるようにしたマジック（登録商標）テープ、Ｂは外反母趾矯正用サポータ本体をそれぞれ示すものである。
【産業上の利用可能性】
【００２２】
外反母趾矯正用靴下にも利用することができる。
【符号の説明】
【００２３】
１・・・・母指                  
２・・・・第２指
３・・・・横中足靱帯
４・・・・母指の第１中足指関節
５・・・・バンド
５ａ・・・・下面
５ｂ・・・・上面
６・・・・突片
７・・・・挿入孔
８・・・・突片
９・・・・弾性部材
１０・・・・マジック（登録商標）テープ
１５・・・・バンド
１５ａ・・・・下側部
１５ｂ・・・・上側部
１６・・・・突片
１８・・・・突片
１９・・・・弾性部材
２０・・・・マジック（登録商標）テープ
２１・・・・マジック（登録商標）テープ
２５・・・・バンド
２６・・・・突片
２７・・・・弾性部材
２８・・・・鼻緒
２９・・・・マジック（登録商標）テープ
３５・・・・バンド
３６・・・・突片
３７・・・・弾性部材
３８・・・・鼻緒
３９・・・・マジック（登録商標）テープ
４０・・・・サポータのズレ防止ベルト
４１・・・・母趾球部押圧クッション材
４２・・・・第５中足骨基底部押圧クッション材
４３・・・・足底部押圧クッション材
４４・・・・第１指と第２指間の指間パット
４５・・・・マジック（登録商標）テープ
４６・・・・筒状部材
４７・・・・マジック（登録商標）テープ
Ａ・・・・外反母趾矯正用サポータ本体
Ｂ・・・・外反母趾矯正用サポータ本体
【手続補正２】
【補正対象書類名】実用新案登録請求の範囲
【補正対象項目名】全文
【補正方法】変更
【補正の内容】
【実用新案登録請求の範囲】
【請求項１】
母指の第１中足指関節部分を足の幅方向に巻回指圧し得るようにした伸縮自在の弾性材からなるバンドの下面に、前縁に突設した突片を設け、この突片上に母指と第２指間に挿入し得る指のつけ根部分を太く、指先部を細くした弾性部材を、前記バンドの下面に固定し、該弾性部材の上面に固定した突片を前記バンド上面と一体に固定したことを特徴とする外反母趾矯正用サポータ。
【請求項２】
バンドは、伸縮自在の弾性材で一体に輪状にしたことを特徴とする請求項１に記載の外反母趾矯正用サポータ。
【請求項３】
バンドは、使用する足に合致させるために、マジック（登録商標）テープで脱着調整できるようにしたことを特徴とする請求項１に記載の外反母趾矯正用サポータ。
【請求項４】
母指の第１中足指関節部分を足の幅方向に巻回指圧し得るようにした伸縮自在の弾性材からなるバンドの下面に、前縁に突設した突片を設け、この突片上に母指と第２指間に挿入し得る指のつけ根部分を太く、指先部を細くした弾性部材をその突片上に載置固定し、該弾性部材上面に鼻緒の先端部を固定し、後端部に前記バンド上面に位置させ、その下面にマジック（登録商標）テープを固定したことを特徴とする外反母趾矯正用サポータ。
【請求項５】
請求項１〜請求項４のうち、いずれか１項に記載の外反母趾矯正用サポータに加えて、足のかかと部でサポータのズレ防止を行うことができるようにズレ防止用ベルト部を設け、母指のつけ根にある足の中足関節部、及び小指側の第５中足骨基底部に当接する部分にパットのクッション材を、さらに、足底部の土踏まずにクッション材を設け、中足関節部、及び第５中足骨基底部を中心とするリスフラン関節部を押圧する力により母指がより外方に拡開し、足裏に横アーチと縦アーチを再生させた時の縦アーチへの補助となり、外反母趾の矯正に役立つことを特徴とする外反母趾矯正用サポータ。
【請求項６】
ベルトを母指から小指側に沿って斜めに傾斜させたことを特徴とする請求項１〜請求項５のいずれか１項に記載の外反母趾矯正用サポータ。
【請求項７】
ベルトの素材をメッシュ素材及び伸縮性素材を採用したことを特徴とする請求項１〜請求項６のうち、いずれか１項に記載の外反母趾矯正用サポータ。